(57)【要約】  本発明は、手動の機械式収集ピペット（１）のためのアクセサリ（２）に関し、当該アクセサリは、グリップを形成しているピペット上部本体（４）の周囲に可逆的に取り付けられることを意図されており、前記アクセサリは、アクセサリ本体（３６）と、当該アクセサリ本体を前記ピペット上部本体（４）に取り付けるための手段とを含む。また、前記アクセサリ（２）は、ａ）電源モジュール（８２）と、前記電源モジュール（８２）により電力供給される少なくとも１つのセンサ（８３，８８，９１，９３）と、を含み、また、ｃ）前記センサにより取得されたデータを表示するためのモジュール（９０）と、ｄ）前記センサにより取得されたデータに従って作動されることを意図されているアラームモジュール（９４）と、ｅ）無線通信モジュール（９６）と、のうちの少なくとも１つのモジュールも含む。
2021503365.tif 000002
【特許請求の範囲】
【請求項１】
手動の機械式収集ピペット（１）のためのアクセサリ（２）であって、ハンドルを形成しているピペット上部本体（４）の周囲に可逆的に取り付けられ得る前記アクセサリが、アクセサリ本体（３６）と、当該アクセサリ本体を前記ピペット上部本体（４）に取り付けるための取り付け手段（６０，６２，６６，７０，７４，７４’）とを含み、また、前記アクセサリ（２）が、前記アクセサリ本体及び／又は前記取り付け手段に取り付けられる以下の要素、すなわち、
ａ）電源モジュール（８２）と、
ｂ）当該電源モジュール（８２）により電力供給される少なくとも１つのセンサ（８３，８８，９１，９３）と、をさらに含み、
前記アクセサリ（２）が、さらに、以下の要素、すなわち、
ｃ）前記センサ（複数可）により取得されたデータを表示するためのモジュール（９０）と、
ｄ）前記センサ（複数可）により取得されたデータに従って作動されるアラームモジュール（９４）と、
ｅ）前記アクセサリ（２）が一方で前記センサ（複数可）と通信し、他方で、前記ピペットから離れて配置された情報処理装置（９５）と通信することを可能にする無線通信モジュール（９６）と、のうちの少なくとも１つのモジュールを含む、アクセサリ（２）。
【請求項２】
前記アクセサリ（２）が、さらに、前記アクセサリ本体（３６）及び／又は前記取り付け手段に取り付けられる以下の要素、すなわち、
ｆ）前記センサ（複数可）により取得されたデータを処理するためのマイクロコントローラ（８４）と、
ｇ）前記ピペッティング操作をタイムスタンプするための、及び／又はメンテナンス作業を監視するためのリアルタイムクロック（８６）と、のうちの少なくとも１つを含むことを特徴とする、請求項１に記載のアクセサリ。
【請求項３】
前記少なくとも１つのセンサが、以下の要素、すなわち、
−加速度計（９３）と、
−力センサ（９１）と、
−１以上の環境センサ（８８）、特には大気圧センサ及び周囲空気温度センサと、
−前記ピペットにより収集された試料の温度を測定するための赤外線センサ（８３）と、のうちの少なくとも１つに対応することを特徴とする、請求項１又は２に記載のアクセサリ。
【請求項４】
前記アラームモジュール（９４）が、音、及び／又は光、及び／又は触覚型のモジュールであることを特徴とする、請求項１〜３のいずれか一項に記載のアクセサリ。
【請求項５】
前記無線通信モジュール（９６）がブルートゥース型のモジュールであることを特徴とする、請求項１〜４のいずれか一項に記載のアクセサリ。
【請求項６】
前記アクセサリ本体（３６）が、ピペッティング操作中に操作者の人差し指が前記ピペット（１）を保持するための軸方向ストップを形成するために前記アクセサリ（２）に設けられた人差し指支持フック（４２）を含み、当該フック（４２）が、好ましくは、前記取り付け手段の一部であるトラフ（６６）を画成し、当該トラフが、ピペット上部本体（４）を形成している前記ハンドル上に設けられた人差し指支持フック（６）を受け入れるためのものであることを特徴とする、請求項１〜５のいずれか一項に記載のアクセサリ。
【請求項７】
前記人差し指支持フック（４２）が、前記要素ａ）〜ｇ）の少なくとも１つ、及び、好ましくはこのフックの下部（５４）に配置された力センサ（９１）を担持していることを特徴とする、請求項６に記載のアクセサリ。
【請求項８】
前記人差し指支持フック（４２）が、互いに取り付けられた２つの別々の部品、特にはフック上部（５２）とフック下部（５４）とを用いて作製され、これらの２つの部品の間に、組み立て時に前記トラフ（６６）が画成されることを特徴とする、請求項６又は７に記載のアクセサリ。
【請求項９】
前記アクセサリ本体（３６）が、また、前記ピペットの前記上部本体（４）に沿って軸方向に延在する中央部分（４０）も含み、且つ、好ましくは、目視窓を形成している開口部（５０）を有することを特徴とする、請求項１〜８のいずれか一項に記載のアクセサリ。
【請求項１０】
前記中央部分（４０）が、前記要素ａ）〜ｇ）の少なくとも１つ、好ましくは電源モジュール（８２）を担持していることを特徴とする、請求項９に記載のアクセサリ。
【請求項１１】
前記中央部分（４０）が、前記ピペット上部本体（４）のほぼ全長にわたって延在するようになっており、好ましくは１ｃｍ〜２ｃｍの幅にわたり、且つ、好ましくは０．１ｃｍ〜０．５ｃｍの厚さにわたって延在するようになっていることを特徴とする、請求項９又は１０に記載のアクセサリ。
【請求項１２】
前記アクセサリ本体の前記取り付け手段が、前記ピペット上部本体（４）を取り囲むためのリング（７４）、及び／又は、このピペット上部本体を部分的に取り囲むためのクリップ（７４’）を含むことを特徴とする、請求項１〜１１のいずれか一項に記載のアクセサリ。
【請求項１３】
手動の機械式収集ピペット（１）と、請求項１〜１２のいずれかに記載の、ピペット上部本体（４）を形成しているハンドルの周囲に可逆的に取り付けられるためのアクセサリ（２）と、を備えたキット（１００）。
【請求項１４】
前記ピペットが、前記アクセサリ（２）内に設けられた前記無線通信モジュール（９６）と通信することが可能である少なくとも１つの追加のセンサ（３２）を備えたピペッティングノブ（３０）を含むことを特徴とする、請求項１３に記載のキット。
【請求項１５】
前記ピペットが、収集されるべき量を表示するための装置（１４）を含み、当該装置（１４）が、前記ピペット上部本体（４）上に設けられた窓（１２）を通して目視可能であり、且つ、前記ピペット上に組み付けられた状態において、前記アクセサリ（２）の前記中央部分（４０）の前記開口部（５０）が前記ピペット上部本体（４）の前記窓（１２）に一致することを特徴とする、請求項９と組み合わされた請求項１３又は請求項１４に記載のキット。
【発明の詳細な説明】
【技術分野】
【０００１】
本発明は、容器などに入った液体を収集及び分注するための収集ピペット（ラボラトリピペットとも、又は、液体移動ピペットとも称される）の分野に関する。
【０００２】
本発明によるピペットは、より具体的には、手動の機械式収集ピペットである。これらのピペットは、液体の収集及び分注操作中に操作者が把持するようになっている。これらの操作は、制御ノブに操作者の親指を介して作動圧力を加えることで制御ノブを動かすことにより行われる。この作動圧力はピペットピストンに伝達され、このピストンの変位により液体が吸引又は分注される。情報として、機械式ピペットが、いわゆる電子ピペットとは対照的であり、電子ピペットにおいては、ピストンの運動が操作者の労作により発生するのではなく、ノブに圧力を加えるピペット操作者からのコマンドを受信するモータにより発生されることに留意されたい。
【背景技術】
【０００３】
ピペットの寿命及びピペットを使用して行われる操作のトレーサビリティ（具体的には、メンテナンスフォローアップ）に関するニーズが実際に益々増えている。また、リアルタイムのピペッティング補助のニーズも増えている。
【発明の概要】
【発明が解決しようとする課題】
【０００４】
これらのニーズを満たそうとするために、手動の機械式ピペットには、一般的に、その設計の大幅な変更が、新しい機能を組み込むために必要である。しかし、設計の改良には長い時間がかかり、費用高であることが分かっている。
【課題を解決するための手段】
【０００５】
機械式ピペットの有意な再設計の欠点を発生させずに上述のニーズを少なくとも部分的に満たすために、発明の１つの目的は、手動の機械式収集ピペットのためのアクセサリであり、ハンドルを形成しているピペット上部本体の周囲に可逆的に取り付けられ得る前記アクセサリが、アクセサリ本体と、当該アクセサリ本体を前記ピペット上部本体に取り付けるための取り付け手段とを含み、また、前記アクセサリは、前記アクセサリ本体及び／又は前記取り付け手段に取り付けられる以下の要素、すなわち、
ａ）電源モジュールと、
ｂ）当該電源モジュールにより電力供給される少なくとも１つのセンサと、も含み、さらに、以下の要素、すなわち、
ｃ）前記センサ（複数可）により取得されたデータを表示するためのモジュールと、
ｄ）前記センサ（複数可）により取得されたデータに従って作動されるアラームモジュールと、
ｅ）前記アクセサリが一方で前記センサ（複数可）と通信し、他方で、前記ピペットから離れて配置された情報処理装置と通信することを可能にする無線通信モジュールと、のうちの少なくとも１つのモジュールも含む。
【０００６】
従って、本発明は、ピペットの寿命及びピペットを用いて行われる操作のトレーサビリティを保証するための、シンプルで効率的且つ安価なレスポンス(cheap response)を提供し、且つ／又は、これにリアルタイムのピペッティング補助も提供する。
【０００７】
こうして、本発明によるアクセサリは、ハンドルを形成しているピペット上部本体の周囲に、ちょうどシェルのように固定されるように設けられる。従って、前記アクセサリは、既存の機械式ピペットの全在庫に、これらをリーズナブルなコストで簡単に機能化するために容易に適合され得る。本発明によるこのアクセサリを用いれば、一般的には電子ピペット専用である機能を、機械式ピペットが有利に有することが可能である。
【０００８】
本発明は、さらに、以下の任意選択的な特性の少なくともいずれかを、単独で、又は組み合わせて有する。
【０００９】
また、前記アクセサリは、前記アクセサリ本体及び／又は前記取り付け手段に取り付けられる以下の要素、すなわち、
ｆ）前記センサ（複数可）により取得されたデータを処理するためのマイクロコントローラと、
ｇ）前記ピペッティング操作をタイムスタンプするための、及び／又はメンテナンス作業、例えば、行われるべき次のキャリブレーションを監視するためのリアルタイムクロックと、のうちの少なくとも１つも含む。
【００１０】
さらに、前記少なくとも１つのセンサは、以下の要素、すなわち、
−加速度計と、
−力センサと、
−１以上の環境センサ、特には大気圧センサ及び周囲空気温度センサと、
−前記ピペットにより収集された試料の温度を測定するための赤外線センサと、のうちの少なくとも１つに対応する。
【００１１】
もちろん、本発明の範囲から逸脱せずに、トレーサビリティ及び／又はピペッティング補助機能を強化するためにさらなるセンサをアクセサリに埋め込むことが可能である。
【００１２】
好ましくは、前記アラームモジュールは、音、及び／又は光、及び／又は触覚型のモジュールである。
【００１３】
好ましくは、前記無線通信モジュールは、ブルートゥース型のモジュールである。
【００１４】
前記アクセサリ本体は、ピペッティング操作中に操作者の人差し指が前記ピペットを保持するための軸方向ストップを形成するために前記アクセサリに設けられた人差し指支持フックを含み、当該フックは、好ましくは、前記取り付け手段の一部であるトラフを画成し、当該トラフは、ピペット上部本体を形成している前記ハンドル上に設けられた人差し指支持フックを受け入れるためのものである。しかし、前記アクセサリがこのようなフックを組み込まなくてもよく、本発明の範囲から逸脱せずに、前記アクセサリが前記ピペット上部本体の前記フックの下に配置されてもよい。
【００１５】
好ましくは、前記人差し指支持フックは、前記要素ａ）〜ｇ）の少なくとも１つ、及び、好ましくはこのフックの下部に配置された力センサを担持している。
【００１６】
好ましくは、前記人差し指支持フックは、互いに取り付けられた２つの別々の部品、特にはフック上部とフック下部とを用いて作製され、これらの２つの部品の間に、組み立て時に前記トラフが画成される。
【００１７】
好ましくは、前記アクセサリ本体は、また、前記ピペットの前記上部本体に沿って軸方向に延在する中央部分も含み、且つ、好ましくは、目視窓を形成している開口部を有する。
【００１８】
前記中央部分は、前記要素ａ）〜ｇ）の少なくとも１つ、好ましくは電源モジュールを担持している。
【００１９】
前記中央部分は、前記ピペット上部本体のほぼ全長にわたって延在するようになっており、好ましくは１ｃｍ〜２ｃｍの幅にわたり、且つ、好ましくは０．１ｃｍ〜０．５ｃｍの厚さにわたって延在するようになっている。
【００２０】
最後に、前記アクセサリ本体の前記取り付け手段は、前記ピペット上部本体を取り囲むためのリング、及び／又は、このピペット上部本体を部分的に取り囲むためのクリップを含む。
【００２１】
本発明の別の目的は、手動の機械式収集ピペットと、ピペット上部本体を形成しているハンドルの周囲に可逆的に取り付けられるためのアクセサリと、を備えたキットである。
【００２２】
好ましくは、前記ピペットは、前記アクセサリ内に設けられた前記無線通信モジュールと通信できる少なくとも１つの追加のセンサを備えたピペッティングノブを含む。
【００２３】
最後に、前記ピペットは、収集されるべき量を表示するための装置を含み、当該装置は、前記ピペット上部本体上に設けられた窓を通して目視可能であり、前記ピペット上に組み付けられた状態において、前記アクセサリの前記中央部分の前記開口部が前記ピペット上部本体の前記窓に一致する。
【００２４】
本発明のさらなる利点及び特徴が、以下の非限定的な詳細な説明において明らかになろう。
【００２５】
この説明を、添付図面を参照しつつ行う。
【図面の簡単な説明】
【００２６】
【図１】機械式ピペットと、ピペット上に取り付けられていない状態で示されているアクセサリとを含む、本発明の好ましい実施形態によるキットの斜視図である。
【図２】図１に示したキットの、アクセサリがまだ取り付けられていない状態の側面図である。
【図３】図１と類似の、アクセサリがピペット上に取り付けられた状態の図である。
【図４】図３の線ＩＶ−ＩＶに沿った断面図である。
【図５】図１〜図４に示したアクセサリのフックの上部の底面図である。
【図６】図１〜図５に示したキットの、アクセサリをピペット上に組み付けたときの斜視図である。
【図７Ａ】ピペットアクセサリのその他の好ましい実施形態を示す。
【図７Ｂ】ピペットアクセサリのその他の好ましい実施形態を示す。
【図７Ｃ】ピペットアクセサリのその他の好ましい実施形態を示す。
【図７Ｄ】ピペットアクセサリのその他の好ましい実施形態を示す。
【発明を実施するための形態】
【００２７】
図１〜図５を参照すると、本発明の好ましい実施形態によるキット１００が示されている。キット１００は、自律的に操作可能な手動の機械式収集ピペット１を含む。また、キットは、ピペットに備えるアクセサリ２も含み、トレーサビリティ及び／又はリアルタイムピペッティング補助機能を提供する。アクセサリ２は、ピペット１に取り付けられたときに自律的に動作するように提供される。
【００２８】
最初にピペット１に関して説明すると、ピペット１は、ピペッティング操作中に操作者が把持するためのハンドルを形成している上部本体４を含む。このピペット上部本体４は、トップ部に、半径方向外向き突出部としての人差し指支持フック６を有する。上部本体４は中央部分に窓１２を有し、この窓１２を通して、操作者は、上部本体４内部に設置された、収集されるべき容量を表示するための装置１４により伝達される情報を読むことが可能である。この装置１４は、優先的には、先行技術により公知の、ギヤ（歯車）を有する機械的装置である。
【００２９】
ピペット底部８が、ハンドル形成本体４上に、クランプリング１０を介して取り付けられている。またこの底部８にチャンバ１６も設けられており、チャンバ１６を通してピストン（図示せず）が、ピペッティング操作中に軸方向にスライドするようになっている。
【００３０】
ピペットは、さらに、排出ノブ２２をピペットのトップ部にて露出させるように上部本体４を通過しているエジェクタ２０を含む。また、エジェクタ２０は下方に延在しており、エジェクタ２０の排出端部２４がチャンバ１６の周りでスライドする。
【００３１】
ピペットのトップ部にて、制御ロッド２６が軸方向上方に突出している。制御ロッド２６の上端に制御ノブ３０が設けられており、好ましくは、以下に説明する少なくとも１つのセンサ３２を備えている。このセンサ３２は、図２に概略的に示されている。制御ロッド２６はその下端にて、ピペットピストンの変位を、先行技術により公知の戻りばねシステムに関連付けて生じさせる。
【００３２】
この機械式ピペット１に、アクセサリ２が可逆的に、より正確に言えば、ピペット上部本体４の周囲に取り付けられるようになっている。
【００３３】
これを行うために、アクセサリ２は、アクセサリ本体３６と、このアクセサリ本体３６をピペット上部本体４に取り付けるための手段と、そしてこの自律的なアクセサリを機能化するための手段とを含む。
【００３４】
最初に、このアクセサリの構造に関して説明すると、本体３６は、この場合、ピペット上部本体４に沿って軸方向に延在するための中央部分４０（本体３６のほぼ全長にわたって延在する）と、中央部分４０より上に配置された人差し指支持フック４２とを含む。中央部分４０は、幅狭の薄いストリップとして、ピペット上部本体４の、人差し指支持部６の軸方向下方延在部に位置する所定ゾーンに沿って延在する。
【００３５】
非限定的な例として、ストリップ４０の長さは３ｃｍ〜１０ｃｍであり得、ストリップ４０の幅は１ｃｍ〜２ｃｍであり得、ストリップ４０の厚さは０．１ｃｍ〜０．５ｃｍであり得る。
【００３６】
ストリップ４０は中実であってよく、又は、優先的には、目視窓を形成している開口部５０が設けられている。図３に示されている取り付け状態、すなわち、アクセサリをピペット上に組み付けた状態において、このアクセサリの開口部５０は上部本体４の窓１２と一致する。従って、開口部５０が窓１２にこのように重なることにより、操作者は、収集されるべき容量を表示するための装置１４により伝達される情報を読み得る。
【００３７】
そして、フック４２は、互いに、好ましくはスナップ嵌めにより取り付けられた２つの別個の部品を用いて作製される。２つの別個の部品とは、フック上部（上側部分）５２とフック下部（下側部分）５４であり、フック下部５４は、アクセサリ本体３６の中央部分４０と共に単一部品として作製され得る。部品５４の下面５６は軸方向ストップを形成しており、この軸方向ストップは、ピペッティング操作中にアクセサリが組み付けられたピペットを操作者の人差し指が保持するためのものである。
【００３８】
スナップ嵌め連結を確実にするために、フック上部５２の内面５８に、半径方向下向きに突出した１以上の爪６０が設けられている。これらの爪６０は、フック下部５４の内面６４から上向きに突出しているその他の爪６２と協働する。
【００３９】
フック４２は、その２つの部品５２，５４間に、アクセサリをピペットに取り付けるための手段の一体的部分であるトラフ６６を画成している。図４においてより良好にみられるように、トラフ６６は、実際にはその一部がピペットの人差し指支持フック６により占められており、人差し指支持フック６の遠位端７１が爪６０，６２の全ての間に挟まれており、リング状突起７０がフック上部５２の内面５８から下方に延在している。これらの部品のブロッキング連結を保証するために、爪６０，６２の全てと、人差し指支持フック６の遠位端７１と、そしてこの端部と協働する環状突起７０の一部とが、各々、相補的形状を有する面を有するように円弧の形状で形成されている。さらに、環状突起７０は、ピペットの人差し指支持フック６の凹部ゾーン７２に侵入している。また、アクセサリが取り付けられた状態でフック４２がピペットのフック６に隣接することにより、このフック６がより長くされることが可能になり、これにより、より良好なエルゴノミクスを操作者に提供できることにも留意されたい。
【００４０】
従って、トラフ６６と、要素６０，６２，７０とが、一緒に、アクセサリ２をピペット上部本体４に取り付けるための上側手段を形成する。これらの手段を完成するために、アクセサリに、その中央部分４０の底部にて、ピペット上部本体４の下方部分を完全に取り囲むための取り付けリング７４が設けられている。リング７４はピペット上部本体４の下端を取り囲み、従って、この本体４の形状に対して相補的な形状を有する。好ましくは、両方の要素４と７４との間には取り付けクリアランスのみが設けられ、リング７４は、優先的には、アクセサリ本体３６の中央部分４０とフック下部５４とを有する単一部品からつくられる。この点に関し、この単一部品は、優先的には、プラスチック材料、例えば、ポリプロピレンタイプ、又はその他の任意の射出可能なプラスチック材料からつくられる。取り付けられた状態で、リング７４は、ピペットのクランプリング１０のすぐ上に配置される。
【００４１】
この構造で、アクセサリ２は、ピペットを機能化するためにコンポーネントが取り付けられ得る複数のゾーンを有する。これらのゾーンは、具体的には、フック４２における第１ゾーン７６、開口部５０の上の第２ゾーン７８、及び、この開口部５０の下に位置する第３ゾーン８０である。第１ゾーン７６が、実際にはフック４２内の複数の別々のサブゾーンにより形成され得て、これらの各々が１以上のコンポーネントを収容していることを明記しておく。同じことが第２ゾーン７８及び第３ゾーン８０にも当てはまる。
【００４２】
好ましくは、コンポーネントは、これらの３つのゾーン７６，７８，８０の各々に埋め込まれている。ここで、例示的な実施形態を、図１を参照しつつ説明する。しかし、本発明の範囲から逸脱せずに、異なるゾーンにおけるコンポーネントの分布が変更され得ることを明記しておく。
【００４３】
まず、ゾーン８０内に電源モジュール８２が配置されており、ゾーン８０は、また、ピペットにより収集された液体試料の温度を測定するための赤外線式センサ８３も収容している。モジュール８２は、例えば、単純な電池の形態である。
【００４４】
また、アクセサリのセンサにより取得されたデータを処理するためのマイクロコントローラ８４と、そして、ピペッティング操作及び／又はメンテナンス監視（例えば、行われるべき次のキャリブレーションの監視）操作のタイムスタンプのためのリアルタイムクロック８６も具備されている。両方のコンポーネント８４，８６は、好ましくは、周囲空気温度センサ及び大気圧センサなどの１以上の環境センサ８８と同様に、フックのゾーン７６に配置される。これらのセンサは、アクセサリ２に埋め込まれた全てのその他の可能なセンサ及び他のコンポーネントと同様に、モジュール８２により電力供給される。
【００４５】
また、フックのゾーン７６は、センサにより取得され、そしておそらくマイクロコントローラ８４により処理されたデータを表示するためのモジュール９０も収容している。このオプショナルの表示モジュールは、好ましくは、操作者が完全に読み取り可能なようにフック上部５２上に配置される。
【００４６】
また、図４に示されている力センサ９１がフック下部５４に装備され得る。操作者の人差し指によりこのフック下部５４上で生じる反作用は、実際、ピストンの動きの精巧な追跡を可能にする。人差し指がこの部分５４に加える各反作用値が、ピストンの戻りばねシステムの正確なたわみ量に相当し、そして、このたわみ量は、ピストンの吸引／分注ストロークに沿った正確な位置に相当する。例として、この力センサ９１を用いて、ピストンがドレイン（排出）段階に達したことを判断すること、そしてそれより、これらのデータを使用して、アクセサリが装填されたピペットにより行われるピペッティング操作の回数をカウントすることが可能である。
【００４７】
中間ゾーン７８は、好ましくは、加速度計９３を収容している。加速度計９３は、１以上の検出（特には、収集コーン係合の検出、収集コーン排出の検出、コーン係合方法コンプライアンスの検出、ピペッティング中のピペット角度、又は、収集されるべき液体の吸引中のピペット安定性の監視も）を実行できる。
【００４８】
また、フックゾーン７６は、アラームモジュール９４及び無線通信モジュール９６も収容できる。モジュール９４は、センサにより取得されたデータに従ってアラームを作動させるためのものであり、このアラームは、音及び／又は光であり、及び／又は触覚タイプである。無線通信モジュール９６は、好ましくはブルートゥース又はＷｉ‐ｆｉ型であり、そして、その設計は、アクセサリが、一方ではセンサと、他方ではピペットから離れて配置されたリモート情報処理装置と通信できるようになされている。この装置９５は、タブレット、ＰＣ、スマートフォン型などの装置であり得、ピペッティング操作中にセンサにより提供されたデータから解釈された任意のイベントを記録する。例えば、ピペッティング操作中に測定された圧力値は情報処理装置に送信され、情報処理装置は、測定された圧力変動を時間の関数として表す曲線をリアルタイムで描く。得られた曲線を分析することにより、ピペッティング操作中の異常を検出でき、そして、おそらくアラームが、アラームモジュール９４によりリアルタイムでトリガーされ得る。
【００４９】
一般的に、無線通信モジュール９６は、各センサにより提供された全ての情報を含むメッセージを装置９５に送信し、装置９５は、送信された情報を、現在のピペッティングプロトコルステップにおける期待される結果と比較する。さらに、情報処理装置９５により収集された情報は照合確認される。情報処理装置が、プロトコルの実行において異常を検出した場合、情報処理装置は、アクセサリ２にエラー信号を、無線通信モジュール９６を介して返信する。このエラー信号を受信したならば、アクセサリの関連モジュール９４がアラーム信号を即座に生成する。このようにして、操作者は、異常に対して即座に、例えば、操作者（彼／彼女）のピペットの傾きを修正してプロトコルに準拠させることにより対応できる。
【００５０】
さらに、現在の日付が次のメンテナンス又は制御の日付よりも後である場合、アラームが操作者に送信されて、ピペット及び／又はアクセサリを使用できないことを操作者に通知する。
【００５１】
以上に列挙したアラーム（センサにより取得され、そして、情報処理装置９５により中継された情報と比較される）は、ピペッティングプロトコルの実行の制御の強化を、操作者自身による確認を要求することなく可能にする。
【００５２】
しかし、本発明が、センサによりピックアップされたデータが事前に遠隔情報処理装置に送信されずに単にディスプレイモジュール９０に表示され、且つ／又は、専用モジュール９４を介してアラームを発生させるようなアクセサリもまた含むことに留意されたい。
【００５３】
フック下体５４の表面５６に配置された力センサ９１のデータのサイクル数のカウント又はその他の使用に関して、これらのデータを、アクセサリ内で、及び／又は、無線通信モジュール９６を介して処理装置９５にて使用できる。
【００５４】
さらに、この無線通信モジュール９６は、アクセサリ２が、制御ノブ３０に配置されたセンサ３２（複数可）と通信することを可能にする。これらのセンサは、任意の性質のセンサであってよく、例えば、アクセサリに装備されるものとして上述した、且つ、ノブ３０にオフセット配置されるような１以上のセンサであり得る。
【００５５】
上述のアクセサリのコンポーネントは、慣用的な手段、例えば、接着、はんだ付け、ろう付け、オーバーモールドにより、或いは封入によってでも、アクセサリ本体３６に取り付けられ得る。
【００５６】
ここで図６を参照すると、アクセサリ２をピペット１に取り付けるときのキットが示されている。まず最初に、単一部品４０，５４の一部を、その取り付けリング７４（図６には見えない）がピペット上部本体４を取り囲むように適切な位置に配置する。次いで、アクセサリ本体３６の中央部分４０をピペット本体４に押し付け、また、フック下部５４を、このピペットの人差し指支持フック６に押し付ける。図６に示されているこの中間取り付け状態において、フック６の遠位端７１が、フック下部５４のスナップ嵌め爪６２に接して配置される。
【００５７】
次に、フック上部５２を上方からもってきて、そしてアセンブリにスナップ嵌めする。これは、フック上部５２の爪６０をフック下部５４の爪６２に、フック上部５２の環状突起７０を人差し指支持部６の凹状ゾーン７２内に差し込みながら協働させることにより行われる。
【００５８】
最後に、図７Ａ〜図７Ｄは、アクセサリ２のその他の実施形態を示す。これらの実施形態においても、先に記載したコンポーネントの全て又は一部が組み込まれる。
【００５９】
これに関し、図７Ａはアクセサリ２を示し、このアクセサリ２は、図１〜図６に示した第１実施形態の単一のフック４２の構造に制約されている。しかし、このアクセサリ２は、アクセサリの機能化を目的とした多数のコンポーネントがその内部に埋め込まれ得るかさばる部品である。
【００６０】
図７Ｂにおいて、フック４２は、第１モード（実施形態）の一部である中央部分４０のみにより完成されており、この部分４０は、取り付け手段を有さず、単にピペット上部本体に押し付けられる。図７Ｃの例についても同様であるが、その中央部分が、開口部５０に一体化するまで下方により長くされて延在している。
【００６１】
図７Ｄの例は、アクセサリ２を取り付けるための下部手段の形態によってのみ第１実施形態と異なる。図７Ｄの例においては、取り付け手段は、もはや完全なリングによってではなく、ピペット上部本体を部分的取り囲むための不完全なリングとしてのクリップ７４’によりつくられる。このクリップ７４’は、このピペットの底部を分解する必要なくピペット上部本体に水平方向に挿入できるという利点を有する。
【００６２】
また、本発明の範囲から逸脱せずに、アクセサリがフック４２を有さなくてもよいことに留意されたい。
【００６３】
もちろん、単に非限定的な例として以上に記載した、その範囲が添付の特許請求の範囲により定義される本発明に対し、当業者は様々な修正を提示できる。例えば、アクセサリは、窓５０を形成する開口部５０を有さなくてもよい。
【符号の説明】
【００６４】
１  ピペット
２  アクセサリ
４  上部本体
６  人差し指支持フック
９  力センサ
１２  窓
３０  制御ノブ
３６  アクセサリ本体
４０  中央部分
４２  人差し指支持フック
５０  開口部
６０  爪
７４  取り付けリング
８２  電源モジュール
８３，８８，９１，９３  センサ
９０  モジュール
９４  アラームモジュール
９５  情報処理装置
９６  無線通信モジュール
１００  キット
【図１】
2021503365.tif 000003
【図２】
2021503365.tif 000004
【図３】
2021503365.tif 000005
【図４】
2021503365.tif 000006
【図５】
2021503365.tif 000007
【図６】
2021503365.tif 000008
【図７Ａ】
2021503365.tif 000009
【図７Ｂ】
2021503365.tif 000010
【図７Ｃ】
2021503365.tif 000011
【図７Ｄ】
2021503365.tif 000012
【国際調査報告】
2021503365.tif 000013
2021503365.tif 000014
2021503365.tif 000015
2021503365.tif 000016
2021503365.tif 000017
2021503365.tif 000018